(57)【要約】【課題】スリットの口開きをより確実に抑制すること。【解決手段】ロック付コルゲートチューブ１０は、周方向に沿って延在する凸状の山部２２と凹状の谷部２４とが軸方向に交互に連続して設けられた本体部２０と、周方向において本体部２０の一端側でスリットを挟んだ一端部に設けられた雄ロック部３２と、本体部２０の他端側でスリットを挟んだ他端部に設けられた雌ロック部４２とを有し、雄ロック部３２と雌ロック部４２とが周方向に並んだロック前形態と、雄ロック部３２の外周側に雌ロック部４２が重なる形態で雄ロック部３２と雌ロック部４２とが嵌合したロック形態とで変形可能なロック構造部３０とを備えている。重複寸法Ｌは、周方向において、ロック前形態の周長の９％以上の寸法に設定されている。【選択図】図３
2013121277.tif 000002
【特許請求の範囲】
【請求項１】
周方向一部に軸方向に沿って形成されたスリットを有する筒状に形成されたロック付コルゲートチューブであって、
周方向に沿って延在する凸状の山部と凹状の谷部とが軸方向に交互に連続して設けられた本体部と、
周方向において前記本体部の一端側で前記スリットを挟んだ一端部に設けられた雄ロック部と、前記本体部の他端側で前記スリットを挟んだ他端部に設けられた雌ロック部とを有し、前記雄ロック部と前記雌ロック部とが周方向に並んだロック前形態と、前記雄ロック部の外周側に前記雌ロック部が重なる形態で前記雄ロック部と前記雌ロック部とが嵌合したロック形態とで変形可能なロック構造部と、
を備え、
前記ロック形態における前記雄ロック部と前記雌ロック部との重複寸法は、周方向において、前記ロック前形態の周長の９％以上の寸法に設定されている、ロック付コルゲートチューブ。
【請求項２】
請求項１に記載のロック付コルゲートチューブであって、
前記重複寸法は、前記ロック前形態の周長の９％〜１２％の寸法に設定されている、ロック付コルゲートチューブ。
【請求項３】
請求項１又は請求項２に記載のロック付コルゲートチューブであって、
前記重複寸法は、前記ロック前形態の周長の１０％の寸法に設定されている、ロック付コルゲートチューブ。
【請求項４】
請求項１〜請求項３のいずれか一項に記載のロック付コルゲートチューブであって、
前記雄ロック部は、前記山部の前記スリット側において外周側に凹となる形状に形成された係止凹部と、前記係止凹部の前記スリット側に連続して外周側に凸となる形状に形成された内側係止凸部とを有し、
前記雌ロック部は、前記山部のスリット側において内周側に凹となる形状に形成され、前記内側係止凸部に対して外嵌可能な外側係止凹部を有する、ロック付コルゲートチューブ。
【発明の詳細な説明】
【技術分野】
【０００１】
この発明は、ワイヤーハーネスを保護する技術に関する。
【背景技術】
【０００２】
自動車等に搭載されるワイヤーハーネスは、周辺部材からの保護のため、保護材としてのコルゲートチューブに挿通された状態で配索経路に配索されることがある。このコルゲートチューブは、ワイヤーハーネスを内部に横入れする（延在方向に直交する方向から入れる）ために、周方向一部分に延在方向に沿って形成されたスリットを有していることもある。
【０００３】
このようにスリットが形成されたコルゲートチューブにおいては、曲げ、ねじれ等が生じると、スリットが開いてワイヤーハーネスが外方に露出ないし飛び出してしまう恐れがある。
【０００４】
これに対して、特許文献１には、ロック構造を有するコルゲートチューブが開示されている。このコルゲートチューブは、周方向に延びる複数の突条部が軸方向に所定ピッチで配されると共に軸方向にスリットが形成されている。突条部のうちスリットを挟む位置に配される両端部の間には、突条部の内側に収まる大きさのロック突起が設けられている。そして、突条部の両端部のうちの一方の端部がロック突起に被せられると、該一方の端部とロック突起とが係合する。
【先行技術文献】
【特許文献】
【０００５】
【特許文献１】特開２００９−３８９６４号公報
【発明の概要】
【発明が解決しようとする課題】
【０００６】
しかしながら、特許文献１では、周方向におけるロック突起の寸法が比較的小さく、スリットの口閉じ状態における突条部とロック突起との重複量が少ないため、コルゲートチューブに対して曲げ又はねじれ等の外力が加わって突条部の両端部のうちの一方の端部がロック突起に対して浮いて外れてしまうと、コルゲートチューブが成型時の形態に復帰しようとする力によってスリットの口開きが生じる恐れがある。
【０００７】
そこで、本発明は、スリットの口開きをより確実に抑制することを目的とする。
【課題を解決するための手段】
【０００８】
第１の態様は、周方向一部に軸方向に沿って形成されたスリットを有する筒状に形成されたロック付コルゲートチューブであって、周方向に沿って延在する凸状の山部と凹状の谷部とが軸方向に交互に連続して設けられた本体部と、周方向において前記本体部の一端側で前記スリットを挟んだ一端部に設けられた雄ロック部と、前記本体部の他端側で前記スリットを挟んだ他端部に設けられた雌ロック部とを有し、前記雄ロック部と前記雌ロック部とが周方向に並んだロック前形態と、前記雄ロック部の外周側に前記雌ロック部が重なる形態で前記雄ロック部と前記雌ロック部とが嵌合したロック形態とで変形可能なロック構造部とを備え、前記ロック形態における前記雄ロック部と前記雌ロック部との重複寸法は、周方向において、前記ロック前形態の周長の９％以上の寸法に設定されている。
【０００９】
第２の態様は、第１の態様に係るロック付コルゲートチューブであって、前記重複寸法は、前記ロック前形態の周長の９％〜１２％の寸法に設定されている。
【００１０】
第３の態様は、第１又は第２の態様に係るロック付コルゲートチューブであって、前記重複寸法は、前記ロック前形態の周長の１０％の寸法に設定されている。
【００１１】
第４の態様は、第１〜第３のいずれか一態様に係るロック付コルゲートチューブであって、前記雄ロック部は、前記山部の前記スリット側において外周側に凹となる形状に形成された係止凹部と、前記係止凹部の前記スリット側に連続して外周側に凸となる形状に形成された内側係止凸部とを有し、前記雌ロック部は、前記山部のスリット側において内周側に凹となる形状に形成され、前記内側係止凸部に対して外嵌可能な外側係止凹部を有する。
【発明の効果】
【００１２】
第１の態様に係るロック付コルゲートチューブによると、ロック構造部が、スリットを挟んだ一端部に設けられた雄ロック部と、スリットを挟んだ他端部に設けられた雌ロック部とを有し、雄ロック部と雌ロック部とが周方向に並んだロック前形態と、雄ロック部の外周側に雌ロック部が重なる形態で雄ロック部と雌ロック部とが嵌合したロック形態とで変形可能に構成されている。そして、ロック形態における雄ロック部と雌ロック部との重複寸法が、周方向においてロック前形態の周長の９％以上の比較的大きい寸法に設定されているため、曲げ、捻れ等の外力が加わって雄ロック部と雌ロック部との嵌合状態が解除されたとしても、雌ロック部が雄ロック部の外周側に重なった状態が維持され、スリットの口開きをより確実に抑制することができる。
【００１３】
第２の態様に係るロック付コルゲートチューブによると、雄ロック部と雌ロック部との重複寸法が、ロック前形態の周長の９％〜１２％の寸法に設定されているため、ロック前形態からロック形態への変形させ易さを確保しつつ、スリットの口開きをより確実に抑制することができる。
【００１４】
第３の態様に係るロック付コルゲートチューブによると、雄ロック部と雌ロック部との重複寸法が、ロック前形態の周長の１０％の寸法に設定されているため、ロック前形態からロック形態への変形させ易さをより確保しつつ、スリットの口開きをより確実に抑制することができる。
【００１５】
第４の態様に係るロック付コルゲートチューブによると、雄ロック部が、山部のスリット側において外周側に凹となる形状に形成された係止凹部と、係止凹部のスリット側に連続して外周側に凸となる形状に形成された内側係止凸部とを有し、雌ロック部は、山部のスリット側において内周側に凹となる形状に形成されて内側係止凸部に対して外嵌可能な外側係止凹部を有する。このため、雌ロック部が雄ロック部に対して浮いたとしても、雌ロック部における外側係止凹部のスリット側部分が、雄ロック部の外周側に凸となる内側係止凸部の外周部に乗り上げた状態となり、雌ロック部が雄ロック部に対して重なった状態が維持されて、スリットの口開きをより確実に抑制することができる。
【図面の簡単な説明】
【００１６】
【図１】ロック付コルゲートチューブの斜視図である。
【図２】ロック付コルゲートチューブの平面図である。
【図３】図２のＩＩＩ−ＩＩＩ線断面図である。
【図４】ロック構造部のロック形態を示す図である。
【図５】スリットが開く方向に外力が加わった時のロック形態を示す図である。
【発明を実施するための形態】
【００１７】
以下、実施形態に係るロック付コルゲートチューブ１０について説明する（図１参照）。このロック付コルゲートチューブ１０は、ワイヤーハーネス１を外部から保護するために用いられる部材である。
【００１８】
＜ロック付コルゲートチューブの概要＞
概略的には、ロック付コルゲートチューブ１０は、周方向一部に軸方向に沿って形成されたスリットを有する筒状に形成された部材である。ここでは、ロック付コルゲートチューブ１０は、略円筒状に形成されている。そして、ロック付コルゲートチューブ１０は、スリットを通じて内側にワイヤーハーネス１を配設可能であり、ワイヤーハーネス１を内側に配設した状態で保護する。本ロック付コルゲートチューブ１０は、スリットを閉じた口閉じ状態に変形可能で、且つ、この口閉じ状態を維持可能に構成されている。以下、単に周方向又は軸方向と記す場合、ロック付コルゲートチューブ１０全体における周方向又は軸方向を指すものとする。
【００１９】
ロック付コルゲートチューブ１０は、本体部２０と、ロック構造部３０とを備えている。より具体的には、ロック付コルゲートチューブ１０は、周方向におけるスリットを挟んだ両端縁部を含む部位にロック構造部３０の各部を有し、その各部を連結するように断面視弧状の本体部２０が設けられている。
【００２０】
本体部２０は、周方向に沿って延在する凸状の山部２２と凹状の谷部２４とが軸方向に交互に連続して設けられた形状に形成されている（図２参照）。すなわち、本体部２０は、周方向に直交する断面視において、波形状（略矩形波形状）を成している。山部２２及び谷部２４は、本体部２０の周方向全体に亘って延在している。そして、本体部２０は、軸方向に並ぶ山部２２同士又は谷部２４が近接又は離間する形態で曲げられる。
【００２１】
ロック構造部３０は、周方向において、本体部２０の一端側でスリットを挟んだ一端部に設けられた雄ロック部３２と、本体部２０の他端側でスリットを挟んだ他端部に設けられた雌ロック部４２とを有する（図３参照）。このロック構造部３０は、ロック前形態からロック形態に変形可能に形成されている。ロック前形態とは、雄ロック部３２と雌ロック部４２とが周方向に並んだ（突き合わされた）形態である（図３参照）。また、ロック形態とは、雄ロック部３２に対して雌ロック部４２が外周側に重なる形態で雄ロック部３２と雌ロック部４２とが嵌合した形態である（図４参照）。すなわち、ロック付コルゲートチューブ１０は、ロック構造部３０のロック形態で、スリットを閉じた口閉じ状態となる。
【００２２】
雄ロック部３２は、係止凹部３４と、内側係止凸部３６とを有している。
【００２３】
係止凹部３４は、後述する雌ロック部４２のスリット側端部が嵌り込む部分である。この係止凹部３４は、本体部２０の周方向一端側で山部２２のスリット側に設けられ、山部２２より内周側に凹となる形状に形成された部分である。より具体的には、係止凹部３４は、山部２２の内周側端部と同周上（谷部２４の同周上）に底部を有している。また、係止凹部３４は、底部の周方向における寸法が、少なくともロック付コルゲートチューブ１０の厚さ寸法より大きく設定されている。
【００２４】
内側係止凸部３６は、後述する雌ロック部４２の外側係止凹部４４に対して嵌合する部分である。より具体的には、内側係止凸部３６は、係止凹部３４のスリット側に連続した凸状に形成されている。ここでは、内側係止凸部３６は、突出寸法が山部２２の突出寸法より小さく、軸方向寸法が山部２２の軸方向寸法より小さく設定されている。この内側係止凸部３６は、ロック付コルゲートチューブ１０のうち、周方向においてスリットを挟んだ一端部に設けられている。
【００２５】
また、内側係止凸部３６は、周方向において、スリット側端部に設けられた嵌合導入用の傾斜部分を除く全体が、周方向に沿って延在する外周部を有する凸状に形成されている。
【００２６】
また、雄ロック部３２のうち、谷部２４のスリット側には、延出部３８が設けられている。この延出部３８は、谷部２４からその同周上に延出する扁平形状に形成されている。また、延出部３８は、係止凹部３４の底部及び内側係止凸部３６の内周側端部に連続してその同周上に位置している。
【００２７】
雌ロック部４２は、外側係止凹部４４を有している。
【００２８】
外側係止凹部４４は、周方向他端側で山部２２のスリット側に設けられ、内側係止凸部３６を内側に配設する形態で内側係止凸部３６に嵌合可能な凸状に形成された部分である（図４参照）。換言すると、外側係止凹部４４は、内周側に向けて開口する凹状に形成されている。ここでは、外側係止凹部４４は、山部２２の周方向他端側に外周側に向けて開口する凹状部分を挟んでスリット側に設けられている。この外側係止凹部４４は、軸方向において山部２２と略同寸法に設定されている。内側係止凸部３６との関係では、外側係止凹部４４は、軸方向において内部空間が内側係止凸部３６より大きく（ここでは僅かに大きく）設定されている。好ましくは、外側係止凹部４４と内側係止凸部３６とは、軸方向において隙間なく嵌合可能であるとよい。
【００２９】
また、外側係止凹部４４は、内周側端部が谷部２４より外周側の位置に設定されている（図３参照）。ここでは、外側係止凹部４４は、内外方向において、谷部２４よりロック付コルゲートチューブ１０の各部の厚さ寸法と略同じ寸法分外周側の位置から外周側に突出している。なお、外側係止凹部４４の外周側端部は、山部２２の外周側端部と略同周上に設定されている。すなわち、外側係止凹部４４は、内側係止凸部３６に外嵌される際に、その内周側端部が係止凹部３４の底部上及び延出部３８上に配設された状態で、スリットを挟んだ周方向一端側の山部２２に対しても外周側端部が略同周上に位置するように構成されている。
【００３０】
また、雌ロック部４２のうち、谷部２４のスリット側には、延出部４８が設けられている。この延出部４８は、谷部２４より外周側からスリット側に延出する扁平形状に形成されている。また、延出部４８は、外側係止凹部４４の基端部と連続してその同周上に位置している。
【００３１】
また、雌ロック部４２の外側係止凹部４４及び延出部４８のスリット側には、周方向に延出する端部ベラが設けられていてもよい。この端部ベラは、外側係止凹部４４の内周側部分において延出する扁平な形状に形成され、ロック付コルゲートチューブ１０の延在方向に亘って延在している。また、端部ベラの延出寸法は、雄ロック部３２の係止凹部３４内に配設可能な大きさに設定されている。
【００３２】
上記ロック付コルゲートチューブ１０は、例えば、以下のようにして形成される。まず、溶融させた合成樹脂材料を押出成形用の金型を用いて筒状に押し出す。押し出された軟らかい状態の筒状体をブロー成型又はバキューム成型によって金型に密着させることにより、金型に沿った形状に形成する。そして、得られた筒状体を周方向一部で軸方向に沿って切り開くことによりスリットを形成する。ここでは、雄ロック部３２の内側係止凸部３６と雌ロック部４２の外側係止凹部４４とが周方向に連結された筒状体に成型され、内側係止凸部３６と外側係止凹部４４との境界部分で該筒状体を切り開いている。すなわち、ロック構造部３０のロック前形態とは、成形後の筒状体が切り開かれた形態である。
【００３３】
そして、ロック付コルゲートチューブ１０は、雄ロック部３２に雌ロック部４２が被せられて嵌合することにより、ロック構造部３０がロック形態に維持され、口閉じ状態に維持される。
【００３４】
ロック付コルゲートチューブ１０をワイヤーハーネス１に対して取り付ける際には、まず、ワイヤーハーネス１を、スリットを通じてロック付コルゲートチューブ１０の内側に配設する（図３参照）。このとき、ロック構造部３０は、ロック前形態に維持されている。ワイヤーハーネス１がロック付コルゲートチューブ１０内に配設された状態で、ロック構造部３０をロック形態に変形させる（図４参照）。すなわち、ロック付コルゲートチューブ１０を縮径させるようにして弾性変形させつつ、雌ロック部４２を雄ロック部３２に被せる。より具体的には、内側係止凸部３６を外側係止凹部４４の内側に配設する形態で該両者を嵌合させると共に、雌ロック部４２のスリット側端部（外側係止凹部４４のスリット側壁部及び端部ベラ）を係止凹部３４内に挿入する。ここで、雌ロック部４２の端部ベラは、係止凹部３４の底部寄りの位置に配設される。この状態が、ロック構造部３０のロック形態である。
【００３５】
ロック形態では、ロック付コルゲートチューブ１０は、ロック前形態に復帰しようとする力により、外側係止凹部４４のスリット側の壁部の内面が内側係止凸部３６の山部２２側の壁部の外面に係止する。すなわち、ロック前形態に復帰しようとする力とは、拡径しようとして雄ロック部３２と雌ロック部４２とが周方向に離間する力であり、外側係止凹部４４の内面と内側係止凸部３６の外面とが互いに当接するように働く。好ましくは、両壁部は、互いに面接触しているとよい。これにより、ロック構造部３０は、ロック形態に維持される。
【００３６】
＜ロック構造部の寸法設定＞
ロック形態のロック付コルゲートチューブ１０に対して曲げ又はねじれ方向の外力が作用すると、ロック構造部３０のロック形態が解除される向きに力が作用することがある。すなわち、雄ロック部３２に対して雌ロック部４２が浮く向きの力である。そして、この力により、ロック形態が解除されて雌ロック部４２が雄ロック部３２から外れると、ロック付コルゲートチューブ１０は、ロック前形態に復帰する向きに変形する。
【００３７】
本ロック付コルゲートチューブ１０は、ロック構造部３０のロック形態が解除されても、スリットが開くのをより確実に抑制可能に形成されている。より具体的には、ロック形態における雄ロック部３２と雌ロック部４２の重複寸法Ｌを、所定の範囲内の寸法に設定している。すなわち、この重複寸法Ｌは、ロック形態に変形されることによるロック付コルゲートチューブ１０の癖付きによって、ロック形態が解除されても、自身のロック前形態に復帰しようとする力だけでは元に戻らない程度に設定されている。なお、重複寸法とは、ロック形態における雄ロック部３２と雌ロック部４２がロック付コルゲートチューブ１０の内外方向において重複する部分の周方向における寸法を指す。
【００３８】
そして、外力により雌ロック部４２の雄ロック部３２に対する嵌合が解除されると、雌ロック部４２は、ロック付コルゲートチューブ１０がロック前形態に復帰する向きの力により、雄ロック部３２の外周側を端縁部側に向けて移動する。このとき、ロック付コルゲートチューブ１０は、ロック形態における癖付きによりロック前形態にまでは復帰しない。すなわち、雌ロック部４２は、雄ロック部３２に対して浮いても、少なくとも端縁部側の一部分が雄ロック部３２の外周側に重なっている。
【００３９】
上記重複寸法Ｌは、ロック前形態の周長の９％以上の寸法に設定されているとよい。また、重複寸法Ｌは、ロック構造部３０をロック前形態からロック形態に変形させる作業性、及び、ロック付コルゲートチューブ１０のロック前形態への復帰力と係止状態の維持力とを考慮して、ロック前形態の周長の１２％以下（すなわち９％〜１２％）の寸法に設定されているとよい。より好ましくは、重複寸法Ｌは、ロック前形態の周長の１０％以上且つ１１％以下の寸法に設定されているとよい。なお、最も好ましい重複寸法Ｌは、ロック前形態の周長の１０％の寸法である。
【００４０】
上記構成に係るロック付コルゲートチューブ１０によると、ロック構造部３０が、スリットを挟んだ一端部に設けられた雄ロック部３２と、スリットを挟んだ他端部に設けられた雌ロック部４２とを有し、雄ロック部３２と雌ロック部４２とが周方向に並んだロック前形態と、雄ロック部３２の外周側に雌ロック部４２が重なる形態で雄ロック部３２と雌ロック部４２とが嵌合したロック形態とで変形可能に構成されている。そして、ロック形態における雄ロック部３２と雌ロック部４２との重複寸法が、周方向においてロック前形態の周長の９％以上の比較的大きい寸法に設定されているため、曲げ、捻れ等の外力が加わって雄ロック部３２と雌ロック部４２との嵌合状態が解除されたとしても、雌ロック部４２が雄ロック部３２の外周側に重なった状態が維持され、スリットの口開きをより確実に抑制することができる。
【００４１】
また、雄ロック部３２と雌ロック部４２との重複寸法が、ロック前形態の周長の９％〜１２％の寸法に設定されている構成によると、ロック前形態からロック形態への変形させ易さを確保しつつ、スリットの口開きをより確実に抑制することができる。
【００４２】
また、雄ロック部３２と雌ロック部４２との重複寸法Ｌが、ロック前形態の周長の１０％の寸法に設定されているこうせいによると、ロック前形態からロック形態への変形させ易さをより確保しつつ、スリットの口開きをより確実に抑制することができる。
【００４３】
また、雄ロック部３２が、山部２２のスリット側において外周側に凹となる形状に形成された係止凹部３４と、係止凹部３４のスリット側に連続して外周側に凸となる形状に形成された内側係止凸部３６とを有し、雌ロック部４２は、山部２２のスリット側において内周側に凹となる形状に形成されて内側係止凸部３６に対して外嵌可能な外側係止凹部４４を有する構成によると、雌ロック部４２が雄ロック部３２に対して重なった状態が解除され難く、スリットの口開きをより確実に抑制することができる。すなわち、雌ロック部４２が雄ロック部３２に対して浮いたとしても、雌ロック部４２における外側係止凹部４４のスリット側部分が、雄ロック部３２の外周側に凸となる内側係止凸部３６の外周部に乗り上げた状態となる。
【００４４】
さらに、内側係止凸部３６は、周方向において、スリット側端部に設けられた嵌合導入用の傾斜部分を除いた全体が、周方向に沿って延在する外周部を有する凸状に形成されている。すなわち、雌ロック部４２が浮いたとしても、周方向において内側係止凸部３６のうちより広い範囲で、雌側ロック部４２のスリット側端部が内側係止凸部３６に大きく乗り上げた状態を維持することができる。これにより、スリットの口開きをより確実に抑制することができる。なお、スリットの口開きを抑制する観点からは、内側係止凸部３６は、周方向全体で外周部が周方向に沿って延在する形状に形成されていることが好ましい。
【００４５】
これまで、ロック構造部３０について、雄ロック部３２が山部２２から係止凹部３４及び内側係止凸部３６が連続して延出した形状に形成され、雌ロック部４２が山部２２から外側係止凹部４４が連続して延出した形状に形成されている例で説明してきたが、この形状に限られるものではない。例えば、ロック構造部は、雄ロック部及び雌ロック部が上述した形状より多くの複数の嵌合用の凹凸形状部分を有していてもよい。この場合も、雄ロック部３２と雌ロック部４２との重複寸法Ｌが、ロック前形態のロック付コルゲートチューブ１０の周長の９〜１２％の寸法に配設されているとよい。
【００４６】
以上のように、ロック付コルゲートチューブ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００４７】
１  ワイヤーハーネス
１０  ロック付コルゲートチューブ
２０  本体部
２２  山部
２４  谷部
３０  ロック構造部
３２  雄ロック部
３４  係止凹部
３６  内側係止凸部
４２  雌ロック部
４４  外側係止凹部
Ｌ  重複寸法
【図１】
2013121277.tif 000003
【図２】
2013121277.tif 000004
【図３】
2013121277.tif 000005
【図４】
2013121277.tif 000006
【図５】
2013121277.tif 000007